(57)【要約】【課題】受信して記録した番組が他の機器に転送された場合でも、記録先の機器で当該番組についての一連の視聴履歴を利用者が容易に把握することができ、利用者にとっての利便性を向上させ得るようにした記録装置及び記録方法、再生装置及び再生方法を提供すること。【解決手段】実施の形態によれば、記録装置は、受信手段と制御手段と記録手段と通信手段とを備える。受信手段は、番組及びその番組情報を含む放送ストリームを受信する。制御手段は、受信手段で受信したストリーム中の番組情報に番組の再生情報を付加し、その再生情報を付加した番組情報をストリーム中に多重化する。記録手段は、制御手段により再生情報を付加した番組情報が多重化されたストリームを記録する。通信手段は、記録手段により記録されたストリームを外部に配信することを可能とする。【選択図】    図１
2013251650.tif 000002
【特許請求の範囲】
【請求項１】
番組及びその番組情報を含む放送ストリームを受信する受信手段と、
前記受信手段で受信したストリーム中の番組情報に前記番組の再生情報を付加し、その再生情報を付加した番組情報を前記ストリーム中に多重化する制御手段と、
前記制御手段により再生情報を付加した番組情報が多重化されたストリームを記録する記録手段と、
前記記録手段により記録されたストリームを外部に配信することを可能とする通信手段とを具備する記録装置。
【請求項２】
前記制御手段は、
前記受信手段で受信したストリーム中から番組情報を検出する検出手段と、
前記検出手段で検出した番組情報に前記再生情報を付加して新たな番組情報を作成する作成手段と、
前記作成手段で作成した番組情報を前記ストリーム中に多重化する多重化手段とを備える請求項１記載の記録装置。  
【請求項３】
前記受信手段は、ＭＰＥＧ規格におけるＴＳを受信し、
前記制御手段は、ＰＭＴを構成する記述子領域に前記再生情報を付加する請求項１記載の記録装置。
【請求項４】
受信手段により、番組及びその番組情報を含む放送ストリームを受信し、
制御手段により、前記受信手段で受信したストリーム中の番組情報に前記番組の再生情報を付加し、その再生情報を付加した番組情報を前記ストリーム中に多重化し、
記録手段により、前記制御手段で再生情報を付加した番組情報が多重化されたストリームを記録し、
通信手段により、前記記録手段で記録されたストリームを外部に配信する記録方法。
【請求項５】
番組とその番組の再生情報が付加された番組情報とを含むストリームを受信する受信手段と、
前記受信手段で受信したストリームの番組をその番組情報に基づいて再生する再生手段と、
前記再生手段による番組の再生処理に基づいて、対応する前記番組情報内の再生情報を更新する更新手段と、
前記更新手段で更新した再生情報の付加された番組情報を前記ストリーム中に多重化する制御手段とを具備する再生装置。
【請求項６】
前記制御手段により再生情報を付加した番組情報が多重化されたストリームを記録する記録手段と、
前記記録手段により記録されたストリームを外部に配信することを可能とする通信手段とを具備する請求項５記載の再生装置。
【請求項７】
前記受信手段は、ＭＰＥＧ規格におけるＴＳを受信し、
前記更新手段は、ＰＭＴを構成する記述子領域に付加された前記再生情報を更新する請求項５記載の再生装置。
【請求項８】
受信手段により、番組とその番組の再生情報が付加された番組情報とを含むストリームを受信し、
再生手段により、前記受信手段で受信したストリームの番組をその番組情報に基づいて再生し、
更新手段により、前記再生手段による番組の再生処理に基づいて、対応する前記番組情報内の再生情報を更新し、
制御手段により、前記更新手段で更新した再生情報の付加された番組情報を前記ストリーム中に多重化する再生方法。
【発明の詳細な説明】
【技術分野】
【０００１】
この発明の実施の形態は、放送番組を受信して記録する記録装置及び記録方法、ならびに、記録した番組を再生する再生装置及び再生方法に関する。
【背景技術】
【０００２】
周知のように、現在では、例えばデジタルテレビジョン放送等を受信する機能を有し、受信した放送番組及びその属性を示す番組情報等を、ハードディスクや光ディスク等の情報記録媒体に対して記録再生可能とした、いわゆる、放送受信機能を搭載した記録再生装置が市場に普及している。
【０００３】
ところで、このような放送受信機能を備えた記録再生装置においては、記録した番組に対して、再生を行なった部分、日時、回数等の視聴履歴を容易に把握することができるようにすることが、利用者にとっての利便性をより一層向上させる上で重要なことと考えられている。
【０００４】
しかしながら、現状では、番組の再生を行なった機器がその再生内容に関する情報を機器内に記録するようにしているため、番組のコンテンツを他の機器に転送して記録させた場合、その記録先の機器では前の機器での再生情報が得られないので、当該番組についての一連の視聴履歴を把握することが困難になっている。
【先行技術文献】
【特許文献】
【０００５】
【特許文献１】特開２００４−２４２２９１号公報
【発明の概要】
【発明が解決しようとする課題】
【０００６】
受信して記録した番組が他の機器に転送された場合でも、記録先の機器で当該番組についての一連の視聴履歴を利用者が容易に把握することができ、利用者にとっての利便性を向上させ得るようにした記録装置及び記録方法、再生装置及び再生方法を提供することを目的とする。
【課題を解決するための手段】
【０００７】
実施の形態によれば、記録装置は、受信手段と制御手段と記録手段と通信手段とを備える。受信手段は、番組及びその番組情報を含む放送ストリームを受信する。制御手段は、受信手段で受信したストリーム中の番組情報に番組の再生情報を付加し、その再生情報を付加した番組情報をストリーム中に多重化する。記録手段は、制御手段により再生情報を付加した番組情報が多重化されたストリームを記録する。通信手段は、記録手段により記録されたストリームを外部に配信することを可能とする。
【図面の簡単な説明】
【０００８】
【図１】実施の形態としての記録再生装置の信号処理系の一例を概略的に説明するために示すブロック構成図。
【図２】同実施の形態における記録再生装置が記録したストリームに付加する再生情報の一例を説明するために示す部。
【図３】同実施の形態における記録再生装置が行なう受信したストリームを記録する処理動作の一例を説明するために示すフローチャート。
【図４】同実施の形態における記録再生装置が一部再生したストリームに付加する再生情報の一例を説明するために示す部。
【図５】同実施の形態における記録再生装置が行なう再生情報を更新する処理動作の一例を説明するために示すフローチャート。
【図６】同実施の形態における記録再生装置が更新した再生情報に基づいて表示する映像表示画面の一例を説明するために示す図。
【図７】同実施の形態における記録再生装置が他の記録再生装置に転送したストリームに付加される再生情報の一例を説明するために示す部。
【図８】同実施の形態における記録再生装置が分割したストリームに付加する再生情報の一例を説明するために示す部。
【図９】同実施の形態における記録再生装置がストリームに付加する再生情報の他の例を説明するために示す図。
【図１０】同実施の形態における記録再生装置が番組情報ファイルを番組情報に挿入する処理動作の一例を説明するために示すフローチャート。
【図１１】同実施の形態における記録再生装置が番組情報ファイルを分割して記述化する処理動作の一例を説明するために示す図。
【図１２】同実施の形態における記録再生装置が番組情報の１つであるＰＭＴに再生情報を追加する処理動作の一例を説明するために示す図。
【図１３】同実施の形態におけるＰＴＭの記述子領域に記述された記述子のタグ値とその用途との対応を説明するために示す図。
【図１４】同実施の形態におけるＰＴＭの記述子領域に記述された記述子の構成の一例を説明するために示す図。
【発明を実施するための形態】
【０００９】
以下、実施の形態について図面を参照して詳細に説明する。図１は、この実施の形態で説明する記録再生装置１１の信号処理系の一例を概略的に示している。この記録再生装置１１は、デジタルテレビジョン放送の受信機能を搭載し、受信した放送番組及びその属性を示す番組情報等を記録再生可能としている
すなわち、アンテナ１２で受信したデジタルテレビジョン放送信号は、入力端子１３を介してＴＶ（Television）チューナ部１４に供給されて選局処理が行なわれる。この場合、デジタルテレビジョン放送では、ＭＰＥＧ（moving picture experts group）２規格におけるＴＳ（transport steam）の形式で、映像や音声等のＥＳ（elementary stream）をＴＳパケットの単位に分割して送出している。
【００１０】
そして、このＴＶチューナ部１４から出力されたＴＳ形式のストリームは、ストリーム解析部１５に供給される。このストリーム解析部１５は、入力されたストリームから、利用者の指定した映像や音声に対応するパケットのストリームを分離してデコーダ１６に出力するとともに、その属性を示す番組情報を番組情報解析部１７に出力する。この番組情報解析部１７は、入力された番組情報を解析し、利用者への通知が必要な情報についてはデコーダ１６に出力する。
【００１１】
このデコーダ１６は、ストリーム解析部１５及び番組情報解析部１７から供給された情報にデコード処理を施し番組情報の内容を多重化した映像信号及び音声信号を復元している。そして、この復元された映像信号及び音声信号が、ＡＶ（audio video）出力部１８に供給されて出力用の処理が施された後、出力端子１９を介して外部に取り出され、映像表示や音声再生に供される。
【００１２】
ここで、この記録再生装置１１は、上記した放送受信動作を含む種々の動作を制御部２０によって統括的に制御されている。この制御部２０は、ＣＰＵ２０ａを内蔵しており、記録再生装置１１の本体に設けられた操作部２１からの操作情報を受け、または、リモートコントローラ２２から送信され受信部２３で受信された操作情報を受けることにより、その操作内容が反映されるように各部をそれぞれ制御している。
【００１３】
この場合、制御部２０は、メモリ部２０ｂを利用している。このメモリ部２０ｂは、主として、ＣＰＵ２０ａが実行する制御プログラムを格納したＲＯＭ（read only memory）と、該ＣＰＵ２０ａに作業エリアを提供するためのＲＡＭ（random access memory）と、各種の設定情報及び制御情報等が格納される不揮発性メモリとを有している。
【００１４】
また、上記制御部２０には、ＨＤＤ（hard disk drive）２４が接続されている。この制御部２０は、利用者による操作部２１やリモートコントローラ２２の操作に基づいて、上記ストリーム解析部１５から得られる映像や音声等のストリームや、番組情報解析部１７から得られる番組情報等をＨＤＤ２４に供給し、そのハードディスク２４ａに記録させるように制御することができる。
【００１５】
さらに、この制御部２０は、利用者による操作部２１やリモートコントローラ２２の操作に基づいて、ＨＤＤ２４よりハードディスク２４ａから映像や音声等のストリームや番組情報等を読み出させ、デコーダ１６に供給することによって、以後、上記した映像表示及び音声再生に供させるように制御することができる。
【００１６】
また、上記制御部２０は、通信制御部２５を介して外部のネットワーク回線網に接続された各種の機器（図示せず）と相互通信可能に接続されている。これにより、制御部２０は、利用者による操作部２１やリモートコントローラ２２の操作に基づいて、デジタルテレビジョン放送を受信して得られた情報やＨＤＤ２４に記録されている情報等を外部の機器に送信して記録させたり、外部の機器から情報を取得してＨＤＤ２４に記録したりすることができるようになっている。
【００１７】
図２は、所望のチャンネルのデジタルテレビジョン放送番組とその番組情報とを、１９：００から２０：００までの１時間に亘って、ＨＤＤ２４によりハードディスク２４ａに記録した場合の記録ストリームの一例を示している。すなわち、映像や音声等のＥＳ及び番組情報は、それぞれ、ＴＳパケットの単位に分割されて記録されている。
【００１８】
各ＴＳパケットは、それぞれ、ＴＳヘッダとペイロード部とに分割されており、ＴＳヘッダ内のＰＩＤ（packet ＩＤ）部分がＥＳ毎に固有の値をとることになっている。
【００１９】
なお、これらのＥＳは、他のサービスと多重化されて送出される場合が多く、受信側の機器ではサービスの多重化を区別する為に、ＥＳと同時に入力される番組情報を用いて多重化されて送出されてくるストリームを特定し再生する仕組みになっている。
【００２０】
番組情報は、ストリームの中に一定時間毎に挿入されており、利用者がどのタイミングで選局をしても再生できるような仕組みになっている。
【００２１】
記録をする場合には、ＥＳと共に番組情報を同時に記録する必要がある。そして、この実施の形態では、再生時に必要な番組情報内に、そのストリームについての利用者の視聴に関する情報、つまり、そのストリームの再生に関する情報 （この場合、一例として再生回数）を挿入し、当該再生情報の挿入された番組情報をストリーム内に多重化して記録するようにしている。
【００２２】
図２では、番組情報１００，１０１，１０２が相当する。ただし、図２は概念的な説明をするための図であるため、実際に１時間番組を記録した場合に記録される番組情報の個数については、図２で示した数よりも多くなる。記録直後は、一度も再生していないことから、各番組情報内の再生回数は０回に設定されている。
【００２３】
図３は、上記制御部２０が、受信した放送番組とその番組情報とを記録する際に、番組情報の中に再生情報を付加する処理動作の一例をまとめたフローチャートを示している。すなわち、処理が開始（ステップＳ３ａ）されると、制御部２０は、ステップＳ３ｂで、ストリーム解析部１５がＴＶチューナ部１４に入力されたＥＳのＴＳパケットを受信すると、それをＨＤＤ２４に出力してそのハードディスク２４ａに記録する。
【００２４】
そして、制御部２０は、ステップＳ３ｃで、ストリーム中に番組情報を検出したか否かを判別し、検出していないと判断された場合（ＮＯ）、ステップＳ３ｂの処理に戻されて、ＴＳパケットの記録を継続する。また、このステップＳ３ｃで番組情報を検出したと判断された場合（ＹＥＳ）、制御部２０は、ステップＳ３ｄで、検出した番組情報に、再生回数が０回の再生情報を付加した新しい番組情報を作成してＴＳパケット化し、それをＨＤＤ２４に出力してそのハードディスク２４ａに記録する。
【００２５】
その後、制御部２０は、ステップＳ３ｅで、ストリームの記録が完了したか否かを判別し、完了していないと判断された場合（ＮＯ）、ステップＳ３ｂの処理に戻されて、ＴＳパケットの記録を継続する。また、このステップＳ３ｅでストリームの記録が完了したと判断された場合（ＹＥＳ）、制御部２０は処理を終了（ステップＳ３ｆ）する。
【００２６】
一般に、放送番組とその番組情報とを受信して記録する際には、番組情報は書き替えて記録される。例えば、放送される番組情報に番組のコピーを１回だけ許可する旨のコピー制限情報が含まれていた場合、記録時には、このコピー制限情報をコピー禁止に書き替えて記録する必要がある。また、この他にも、番組情報を記録する際には、社団法人 電波産業会［略称ＡＲＩＢ（association of radio industries and businesses）］が規格として定めた情報も含めて、放送番組の記録の際には必ず含めなければならない情報を付加する必要もある。上記のステップＳ３ｄで行なう、番組情報に再生情報を付加した新しい番組情報を作成してＴＳパケット化することは、上記した番組情報を書き替える処理技術を利用することにより、容易に実現することができる。
【００２７】
図４は、図２に示したように記録されたストリームのうち、１９：００から１９：３０までに対応する３０分間分のストリームを再生した場合に、番組情報内の再生情報が更新される様子を示している。すなわち、前半の３０分間分に対応するストリームに含まれる番組情報の再生回数が、０回から１回に更新される。ただし、後半の３０分間分に対応するストリームに含まれる番組情報については、未再生であるため、その再生回数は０回のままで変更されないことになる。つまり、再生情報の更新される番組情報は、番組情報１００及び１０１であり、番組情報１０２は更新されない。
【００２８】
図５は、上記制御部２０が、ストリームの再生中に番組情報内の再生情報を更新する処理動作の一例をまとめたフローチャートを示している。すなわち、処理が開始（ステップＳ５ａ）されると、制御部２０は、ステップＳ５ｂで、番組情報解析部１７が番組情報を検出したか否かを判別する。
【００２９】
そして、検出したと判断された場合（ＹＥＳ）、制御部２０は、ステップＳ５ｃで、デコーダ１６にストリームが供給されていることを確認した上で、検出した番組情報内の再生情報を更新（この場合、再生回数を＋１）し、再生情報が更新された番組情報をＨＤＤ２４に出力してそのハードディスク２４ａに記録させる。
【００３０】
その後、制御部２０は、ステップＳ５ｄで、ストリームの再生が完了したか否かを判別し、完了していないと判断された場合（ＮＯ）、ステップＳ５ｂの処理に戻されて、番組情報の検出を継続する。また、このステップＳ５ｄでストリームの再生が完了したと判断された場合（ＹＥＳ）、制御部２０は処理を終了（ステップＳ５ｅ）する。
【００３１】
なお、上記したステップＳ５ｃにおける番組情報内の再生情報を更新する処理は、番組情報が検出される毎にリアルタイムで実行する場合と、番組情報の得られた位置を記憶しておき、番組の再生終了時に全ての番組情報の内容をまとめて書き替える場合とが考えられるが、必要に応じて有用な方を採用することができる。
【００３２】
そして、このように、ストリームが再生され、その再生された部分に含まれる番組情報の再生回数が更新（この場合、＋１）されると、制御部２０は、図６に一例を示すように、再生された、つまり、視聴に供された表示映像内に「機器０００１（記録再生装置１１）ではこのシーンを１回再生されました」という視聴履歴を示すメッセージを多重化して、利用者に通知するようにしている。
【００３３】
以上のように、ストリーム中に配列される番組情報内に、ストリームの再生に関する情報を挿入するようにし、ストリームが再生される毎に、その再生されたストリームに対応する番組情報内の再生情報を更新することにより、ストリームを再生した場合に、再生情報によってそのストリームに対する再生履歴、つまり、視聴履歴を利用者が容易に把握することができ、利用者にとっての利便性を向上させることができるようになる。
【００３４】
また、ストリーム中の番組情報内に再生情報を付加するようにしているので、ストリームを他の機器に転送した場合に、記録先の機器で当該ストリーム内の再生情報を得ることができるため、そのストリームについての視聴履歴を利用者が容易に把握することができるようになり、利用者にとっての利便性を向上させることが可能となる。
【００３５】
図７は、上記記録再生装置１１に記録されて一部再生された番組のストリームを、他の記録再生装置２６に配信して記録し、さらに、その記録再生装置２６から他の記録再生装置２７に配信して記録し一部再生させた場合における、番組情報内の再生情報が更新される様子を示している。
【００３６】
なお、この場合、上記記録再生装置２６は、番組情報内に再生情報を付加したり再生情報を更新したりする機能を備えていないものを想定しており、上記記録再生装置２７は、記録再生装置１１と同様に、番組情報内に再生情報を付加したり再生情報を更新したりする機能を備えているものを想定している。
【００３７】
まず、記録再生装置１１では、１９：００から２０：００までの１時間に亘って記録したストリームを、１９：００から１９：３０までに対応する３０分間分再生している。このため、記録再生装置１１では、１９：００から１９：３０までの３０分間分に対応するストリームに含まれる番組情報（１００，１０１）の再生回数が１回となり、１９：３０から２０：００までの３０分間分に対応するストリームに含まれる番組情報（１０２）の再生回数が０回となって記録されている。
【００３８】
そして、このように番組情報内の再生情報が設定されたストリームが、記録再生装置１１から記録再生装置２６に配信されて記録された後、再生されて記録再生装置２７に配信され記録される。この場合、記録再生装置２６は、番組情報内に再生情報を付加したり再生情報を更新したりする機能を備えていないので、記録したストリームを再生しても、その番組情報内の再生情報は更新されないことになる。
【００３９】
このため、記録再生装置２７に記録されたストリームの番組情報内に含まれる再生情報は、記録再生装置１１から配信されたときのままとなっている。そして、記録再生装置２７において、記録したストリームを、１９：１５から２０：００までに対応する４５分間分再生している。
【００４０】
これにより、記録再生装置２７では、１９：１５から２０：００までの４５分間に対応するストリームに含まれる番組情報（１０１，１０２）の再生回数が、記録再生装置１１から配信されたときの値に＋１（番組情報１０１が２回、番組情報１０２が１回）されたものとなり、１９：００から１９：１５までの１５分間分に対応するストリームに含まれる番組情報（１００）の再生回数が、記録再生装置１１から配信されたときのままの値（１回）となって記録されることになる。
【００４１】
以上のように、ストリーム中の番組情報内に再生情報を付加することにより、記録再生装置１１に記録されたストリームが、番組情報内に再生情報を付加したり再生情報を更新したりする機能を備えていない記録再生装置２６を介して、番組情報内に再生情報を付加したり再生情報を更新したりする機能を備えている記録再生装置２７に配信され記録された場合に、記録再生装置２７でストリームが再生されると再生情報の更新を行なうことができるようになる。
【００４２】
すなわち、番組情報内に再生情報を付加したり再生情報を更新したりする機能を備えていない記録再生装置２６を間に介在させたとしても、番組情報内に再生情報を付加したり再生情報を更新したりする機能を備えている記録再生装置１１，２７同士の間では、再生情報を共有することができ更新を行なうことが可能となる。このため、番組のストリームが他の機器に転送された場合でも、記録先の機器で当該番組ストリームについての一連の視聴履歴を利用者が容易に把握することができるようになり、利用者にとっての利便性を向上させることが可能となる。
【００４３】
図８は、記録再生装置１１により、１９：００から２０：００までの１時間に亘って記録し、１９：００から１９：３０までに対応する３０分間分再生したストリームから、１９：４５から２０：００までの３０分間分に対応するストリームを分割するように編集した場合における、番組情報内の再生情報が更新される様子を示している。この場合、１９：４５から２０：００までの１５分間分に対応するストリームが、一旦再生されてハードディスク２４ａの他の記録領域に再記録されるものとする。
【００４４】
このため、１９：００から１９：３０までの３０分間分に対応するストリームに含まれる番組情報（１００，１０１）の再生回数は１回のままで、１９：４５から２０：００までの１５分間分に対応するストリームに含まれる番組情報（１０２）の再生回数が１回となる。なお、１９：３０から１９：４５までの１５分間分に対応するストリームに含まれる番組情報は０回のままである。
【００４５】
また、上記した実施の形態では、再生情報として再生回数を例示したが、再生情報としては、これに限らず、例えば図９に一例を示すように、ストリームの記録日時や、配信の際に経由した記録再生装置の機器番号、記録番組情報、再生番組情報等でも良いことはもちろんである。
【００４６】
さらに、再生情報としては、例えば、再生時間、再生形態（通常再生、早送りや早戻し、高速再生や低速再生等の特殊再生）、音量、字幕表示の有無、データ放送の起動の有無、再生した機器の設置されている場所の郵便番号等々、種々の情報が考えられることは言うまでもないことである。
【００４７】
次に、上記制御部２０が番組情報をストリーム中に挿入する手法の一例について、図１０に示すフローチャートを参照して説明する。すなわち、処理が開始（ステップＳ１０ａ）されると、制御部２０は、ステップＳ１０ｂで、番組情報ファイルを生成し、ステップＳ１０ｃで、生成した番組情報ファイルを適当な大きさのファイルに分割し、ステップＳ１０ｄで、分割した各ファイルを記述子化し、ステップＳ１０ｅで、生成した記述子を番組情報に挿入して、処理を終了（ステップＳ１０ｆ）する。
【００４８】
なお、記録の開始時には、空の番組情報ファイルを作成した上で、番組情報内で挿入を実行する。
【００４９】
図１１は、番組情報ファイルをイメージで示したものである。番組情報ファイルは、そのまま記述子化して番組情報内に挿入することができないため、適当なサイズに分割し記述子化してＰＭＴ（program map table）とした上で挿入を行なう必要がある。
【００５０】
次に、分割した番組情報ファイルの記述子化について説明する。すなわち、ＭＰＥＧ２−ＴＳでは、ストリーム中に、映像や音声の情報の他に番組情報等のデータを送付するために、ＰＳＩ（program specific information）やＳＩ（service information）が含まれている。この実施の形態では、ＰＳＩやＳＩを番組情報に置き替えて説明する。
【００５１】
ここで、番組情報の構成例について説明する。図１２は、番組情報の１種類であるＰＭＴの一例を示している。すなわち、番組情報内部には、記述子領域という領域が存在しており、そのストリームの特性を示すために必要な情報を記述子として表示することになっている。ＰＭＴには、記述子領域１と記述子領域２との２つが存在しているが、この実施の形態では、記述子領域１内に再生情報を付加することを想定する。
【００５２】
記述子は、先頭の１バイトが記述子タグ値になっており、タグ値によって用途が固有に決まっている。図１３は、タグ値とその用途との対応を示している。放送規格上使用されていないタグ値があるので、予約されていないタグを、分割した番組情報ファイルの挿入に使用する。この実施の形態では、タグ値として「０ｘ７Ｆ」を再生情報記憶記述子に割り当てて使用している。
【００５３】
図１４は、記述子の構成例を示している。分割した番組情報ファイルの先頭に３バイトのヘッダを付加して再生情報記憶記述子化を行なっている。記述子の構成は、先頭の１バイトが記述子タグ値であり、次の２バイトが記述子内のデータサイズ及び記述子内のデータがファイル内の先頭及び終端にあるかどうかの確認を行なうためのフラグを格納するための領域として確保してある。
【００５４】
記録のときには、通常の番組情報に再生情報記憶記述子を追加してＳＩを作成する。ただし、再生情報記憶記述子を追加することによって記述子領域とセクション全体とが増加することになるので、追加した分を考慮して番組情報を再作成することになる。
【００５５】
また、再生のときには、番組情報内から再生情報記憶記述子を抽出して番組情報ファイルの復元を行ない、番組情報ファイルの再更新を行なった上で、記録処理と同様に番組情報内に再生情報記憶記述子を格納する。
【００５６】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【符号の説明】
【００５７】
１１…記録再生装置、１２…アンテナ、１３…入力端子、１４…ＴＶチューナ部、１５…ストリーム解析部、１６…デコーダ、１７…番組情報解析部、１８…ＡＶ出力部、１９…出力端子、２０…制御部、２０ａ…ＣＰＵ、２０ｂ…メモリ部、２１…操作部、２２…リモートコントローラ、２３…受信部、２４…ＨＤＤ、２４ａ…ハードディスク、２５…通信制御部、２６，２７…記録再生装置、１００〜１０２…番組情報。
【図１】
2013251650.tif 000003
【図２】
2013251650.tif 000004
【図３】
2013251650.tif 000005
【図４】
2013251650.tif 000006
【図５】
2013251650.tif 000007
【図６】
2013251650.tif 000008
【図７】
2013251650.tif 000009
【図８】
2013251650.tif 000010
【図９】
2013251650.tif 000011
【図１０】
2013251650.tif 000012
【図１１】
2013251650.tif 000013
【図１２】
2013251650.tif 000014
【図１３】
2013251650.tif 000015
【図１４】
2013251650.tif 000016